(57)【特許請求の範囲】
【請求項１】
四角形状をなす複数のモジュールユニットと、
この複数のモジュールユニットが鉛直方向に積層状に挿入配置されるモジュールユニットケースと、
を具備するモジュールユニット装置において、
前記モジュールユニットの挿入後端面と上面との角部に設けられた第１の接続口と、
前記モジュールユニットの挿入後端面と下面との角部に前記第１の接続口に対向して設けられた第２の接続口と、
前記モジュールユニットに設けられたプリント基板と、
このプリント基板の前記第１の接続口に設けられた電気接続用の第１の配線パターンと、
前記プリント基板の前記第２の接続口に設けられた電気接続用の第２の配線パターンと、
前記モジュールユニットケースに設けられたプリント基板と、
このプリント基板の前記モジュールユニットの第１の接続口に対向する位置に設けられた電気接続用の第３の配線パターンと、
前記モジュールユニットケースと前記モジュールユニットケースに隣接する前記モジュールユニットの第１の接続口或は前記モジュールユニットの第２の接続口と隣接する他の前記モジュールユニットの第１の接続口に挿入され絶縁材よりなり矩形状の複数のコネクタブロックと、
このコネクタブロックの対向する平面に側面が露出し底面がこのコネクタブロック内に埋め込まれて設けられ前記モジュールユニットケースの第３の配線パターンと前記モジュールユニットケースに隣接する前記モジュールユニットの第１の配線パターン或は前記モジュールユニットの第２の配線パターンとこのモジュールユニットに隣接する前記モジュールユニットの第１の配線パターンとがそれぞれ電気的に接続され前記コネクタブロックの長手方向に互いに平行に配置された複数のコの字状のジャンパー接続端子と、
前記コネクタブロックの長手方向に設けられ前記コネクタブロックが前記モジュールユニットのケースに突き当たるのを回避するケース回避溝と、
を具備したことを特徴とするモジュールユニット装置。
【発明の詳細な説明】
【技術分野】
【０００１】
本発明は、モジュールユニット装置に関するものである。
更に詳述すれば、簡潔な構成により、安価に直接モジュール間の接続を実現でき、確実な電気的接続が確保出来るモジュールユニット装置に関するものである。
【背景技術】
【０００２】
図８は従来より一般に使用されている従来例の要部構成説明図、図９は図８の要部構成説明図、図１０は図８の組立て説明図である。
図において、複数のモジュールユニット２は、四角形状をなす。
モジュールユニットケース１は、この複数のモジュールユニット２が、鉛直方向に積層状に挿入配置される。
【０００３】
モジュールユニットケース１とモジュールユニット２との電気的接続は、モジュールユニットケース１の背面に設けられたバックボードのプリント基板３に設けられた雄コネクタ４とモジュールユニット２に設けられた雌コネクタ５とが、図１０に示す如く、コネクタ接続されることにより得られる。
コネクタ接続に使われる部品は、通常市販のコネクタをプリント基板３上に設けて接続している。例えば、ＰＳコネクタ等が使用される。
【先行技術文献】
【特許文献】
【０００４】
【特許文献１】特開２００８−０４２０８６号公報
【特許文献２】特開２０１０−１３５６９７号公報
【発明の概要】
【発明が解決しようとする課題】
【０００５】
このような装置においては、以下の問題点がある。
市販コネクタの形状に依存し設計空間および配線方法に制約を受ける。
プリント基板３に半田付けされる構造のため、機器の背面の裏部分に設置されるので、接続の良否が設置後は確認できない。
【０００６】
本発明の目的は、上記の課題を解決するもので、簡潔な構成により、安価に直接モジュール間の接続を実現でき、確実な電気的接続が確保出来るモジュールユニット装置を提供することにある。
【課題を解決するための手段】
【０００７】
このような課題を達成するために、本発明では、請求項１のモジュールユニット装置においては、
四角形状をなす複数のモジュールユニットと、この複数のモジュールユニットが鉛直方向に積層状に挿入配置されるモジュールユニットケースとを具備するモジュールユニット装置において、
前記モジュールユニットの挿入後端面と上面との角部に設けられた第１の接続口と、前記モジュールユニットの挿入後端面と下面との角部に設けられた第２の接続口と、前記モジュールユニットに設けられたプリント基板と、このプリント基板の前記第１の接続口に設けられた電気接続用の第１の配線パターンと、前記プリント基板の前記第２の接続口に前記第１の接続口に対向して設けられた電気接続用の第２の配線パターンと、前記モジュールユニットケースに設けられたプリント基板と、このプリント基板の前記モジュールユニットの第１の接続口に対向する位置に設けられた電気接続用の第３の配線パターンと、前記モジュールユニットケースと前記モジュールユニットケースに隣接する前記モジュールユニットの第１の接続口或は前記モジュールユニットの第２の接続口と隣接する他の前記モジュールユニットの第１の接続口に挿入され絶縁材よりなり矩形状の複数のコネクタブロックと、このコネクタブロックの対向する平面に側面が露出し底面がこのコネクタブロック内に埋め込まれて設けられ前記モジュールユニットケースの第３の配線パターンと前記モジュールユニットケースに隣接する前記モジュールユニットの第１の配線パターン或は前記モジュールユニットの第２の配線パターンとこのモジュールユニットに隣接する前記モジュールユニットの第１の配線パターンとがそれぞれ電気的に接続され前記コネクタブロックの長手方向に互いに平行に配置された複数のコの字状のジャンパー接続端子と、前記コネクタブロックの長手方向に設けられ前記コネクタブロックが前記モジュールユニットのケースに突き当たるのを回避するケース回避溝と、を具備したことを特徴とする。
【発明の効果】
【０００８】
本発明の請求項１によれば、次のような効果がある。
バックボードプリント基板と市販のコネクタを必要とせず、簡潔な構成により、安価に直接モジュール間の接続を実現できるモジュールユニット装置が得られる。
モジュールユニット間の接続をモジュールユニットケースの前面で実施できることで、モジュールユニットの機能接続が目視でも管理出来、モジュールユニットの確実な電気的接続が確保出来るモジュールユニット装置が得られる。
【図面の簡単な説明】
【０００９】
【図１】本発明の一実施例の要部構成説明図である。
【図２】図１の正面図である。
【図３】図１の要部構成説明図である。
【図４】図３の要部構成説明図である。
【図５】図３の要部構成説明図である。
【図６】図５の要部構成説明図である。
【図７】図１の要部組立説明図である。
【図８】従来より一般に使用されている従来例の要部構成説明図である。
【図９】図８の要部構成説明図である。
【図１０】図９の組立説明図である。
【発明を実施するための形態】
【００１０】
以下本発明を図面を用いて詳細に説明する。
図１は本発明の一実施例の要部構成説明図、図２は図１の正面図、図３は図１の要部構成説明図、図４は図３の要部構成説明図で、（ａ）は正面図、（ｂ）は側面図、図５は図３の要部構成説明図で、（ａ）は正面図、（ｂ）は平面図、（ｃ）は側断面図、図６は図５の要部構成説明図、図７は図１の要部組立説明図である。
図において、図８と同一記号の構成は同一機能を表す。
以下、図８との相違部分のみ説明する。
【００１１】
図において、図３に示す如く、第１の接続口１１は、モジュールユニット２の挿入後端面２０１と上面２０２との角部に設けられている。
第２の接続口１２は、モジュールユニット２の挿入後端面２０１と下面２０３との角部に第１の接続口１１に対向して設けられている。
プリント基板１３は、モジュールユニット２に設けられている。
【００１２】
電気接続用の第１の配線パターン１４は，プリント基板１３の第１の接続口に１１設けられている。
電気接続用の第２の配線パターン１５は、プリント基板１３の記第２の接続口１２に設けられている。
【００１３】
プリント基板１６は、モジュールユニットケース１に設けられている。
電気接続用の第３の配線パターン１７は、プリント基板１６のモジュールユニット２の第１の接続口１１に対向する位置に設けられている。
【００１４】
コネクタブロック１８は、モジュールユニットケース１とモジュールユニットケース１に隣接するモジュールユニット２の第１の接続口１１、或は、モジュールユニット２の第２の接続口１２と隣接する他のモジュールユニット２の第１の接続口１１に挿入され、絶縁材よりなり矩形状をなし、複数個設けられている。
【００１５】
ジャンパー接続端子１９は、図５に示す如く、コネクタブロック１８の対向する平面１８１，１８２に側面１９１，１９３が露出し、底面１９２がこのコネクタブロック１７内に埋め込まれて設けられている。
【００１６】
ジャンパー接続端子１９は、モジュールユニットケース１の第３の配線パターン１７とモジュールユニットケース１に隣接するモジュールユニット２の第１の配線パターン１４、或は、モジュールユニット２の第２の配線パターン１５と、隣接するモジュールユニット２の第１の配線パターン１４とがそれぞれ電気的に接続されている。
【００１７】
ジャンパー接続端子１９は、図６に示す如く、コネクタブロック１７の長手方向Ａに互いに平行に配置され、コの字状をなし、複数個設けられている。
ケース回避溝２１は、コネクタブロック１７の長手方向に設けられ、コネクタブロック１７がモジュールユニット２のケースに突き当たるのを回避する。
【００１８】
以上の構成において、モジュールユニットケース１にモジュールユニット２を、図１に示す如く、鉛直方向に積層状に挿入する。
【００１９】
モジュールユニットケース１の前面より、コネクタブロック１８が、モジュールユニットケース１とモジュールユニットケース１に隣接するモジュールユニット２の第１の接続口１１、或は、モジュールユニット２の第２の接続口１２と隣接する他のモジュールユニット２の第１の接続口１１に挿入される。
【００２０】
そして、モジュールユニットケース１の第３の配線パターン１７とモジュールユニットケース１に隣接するモジュールユニット２の第１の配線パターン１４、或は、モジュールユニット２の第２の配線パターン１５と隣接するモジュールユニット２の第１の配線パターン１４とがそれぞれ電気的に接続される。
【００２１】
この結果、
バックボードプリント基板３とコネクタ４，５を必要とせず、簡潔な構成により、安価に直接モジュール２の間の接続を実現できるモジュールユニット装置が得られる。
モジュールユニット２の間の接続を、モジュールユニットケース１の前面で実施できることで、モジュールユニット２の機能接続が目視でも管理出来、モジュールユニット２の確実な電気的接続が確保出来るモジュールユニット装置が得られる。
【００２２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２３】
１      モジュールユニットケース
２      モジュールユニット
２０１  挿入後端面
２０２  上面
２０３  下面
３      プリント基板
４      雄コネクタ
５      雌コネクタ
１１    第１の接続口
１２    第２の接続口
１３    プリント基板
１４    第１の配線パターン
１５    第２の配線パターン
１６    プリント基板
１７    第３の配線パターン
１７１  平面
１７２  平面
１８    コネクタブロック
１９    ジャンパー接続端子
１９１  側面
１９２  底面
１９３  側面
２１    ケース回避溝
Ａ      長手方向
【図１】
0005672492.tif 000002
【図２】
0005672492.tif 000003
【図３】
0005672492.tif 000004
【図４】
0005672492.tif 000005
【図５】
0005672492.tif 000006
【図６】
0005672492.tif 000007
【図７】
0005672492.tif 000008
【図８】
0005672492.tif 000009
【図９】
0005672492.tif 000010
【図１０】
0005672492.tif 000011